(57)【要約】【課題】基板端子とバスバー端子を一つのコネクタ収容部内にコンパクトに突設させることが可能であり、プリント基板やバスバーの設計自由度も充分に確保することが出来る、新規な構造の電気接続箱を提供することを、目的とする。【解決手段】プリント基板１２においてバスバー用絶縁板１４が載置された面におけるバスバー用絶縁板１４で覆われていない部分に端子用台座２４を設けて、端子用台座２４を貫通して基板端子２２を突出させると共に、バスバー用絶縁板１４からバスバー４０を端子用台座２４上に延び出させて端子用台座２４上でバスバー４０を屈曲させることによりバスバー端子５４を形成し、バスバー端子５４の基端部分を支持する支持座部５６を端子用台座２４に設けた。【選択図】図１
2010220365.tif 000002
【特許請求の範囲】
【請求項１】
ケース内にバスバー用絶縁板とプリント基板が積層配置されて収容されており、該バスバー用絶縁板に載置されたバスバーによって形成されたバスバー端子と、該プリント基板に設けられた基板端子とが、共通のコネクタ部分に突出して配置された電気接続箱において、
前記プリント基板において前記バスバー用絶縁板が載置された面における前記バスバー用絶縁板で覆われていない部分に端子用台座を設けて、該端子用台座を貫通して前記基板端子を突出させると共に、前記バスバー用絶縁板から前記バスバーを前記端子用台座上に延び出させて該端子用台座上で前記バスバーを屈曲させることにより前記バスバー端子を形成し、該バスバー端子の基端部分を支持する支持座部を前記端子用台座に設けたことを特徴とする電気接続箱。
【請求項２】
前記端子用台座における前記支持座部が、前記バスバー用絶縁板における前記バスバーの配設面と同じ平面上に位置する支持面を備えており、この支持面によって前記バスバー端子の前記基端部分が支持されている請求項１に記載の電気接続箱。
【請求項３】
前記端子用台座における前記支持座部の前記支持面が、前記基板端子が突設された表面位置に比して、前記バスバーの厚さ寸法だけ低くされている請求項２に記載の電気接続箱。
【発明の詳細な説明】
【技術分野】
【０００１】
本発明は、自動車等に搭載される電気接続箱に係り、特にプリント基板とバスバー用絶縁板が積層状態でケース内に収容された電気接続箱に関するものである。
【背景技術】
【０００２】
自動車等においては、ワイヤハーネスを各種の電装品に分岐接続したり、ＥＣＵ等の制御装置を装着したりするのに、効率的な電気接続の実現等を目的として電気接続箱が採用されている。この種の電気接続箱では、特許文献１（特開２０００−１１４７３９号公報）等に示されているように、プリント基板とバスバー用絶縁板がケース内に収容されている。また、ケースの外壁には、コネクタ収容部が形成されており、プリント基板の導体に接続された基板端子とバスバーに接続されたバスバー端子とが、コネクタ収容部内に突設されている。
【０００３】
そして、この電気接続箱に形成されたコネクタ収容部には、外部回路を構成する電線の端末に設けられた外部コネクタが嵌合可能とされている。この外部コネクタの嵌合により、外部回路の電線が基板端子及びバスバー端子に接続されて、電気接続箱内の内部回路が外部回路に接続されるようになっている。
【０００４】
ところで、プリント基板における基板端子は、一般に、プリント基板上に設置された端子用台座で支持されて突設されている。一方、バスバー端子は、バスバー用絶縁板に配設支持されたバスバーの端部を屈曲させることにより、バスバーの端部に一体形成されている。このように基本的構造が相違する両者（基板端子とバスバー端子）は、従来、相互に別のコネクタ収容部をもって突設されていた。
【０００５】
しかしながら、電気接続箱の外壁に、基板端子用のコネクタ収容部とバスバー端子用のコネクタ収容部とを別々に形成することは、大きなスペースが必要となり、電気接続箱のコンパクト化に障害となっていた。また、複数のコネクタ収容部を形成するために、電気接続箱の外壁形状ひいては成形用金型の構造が複雑となって製造が面倒でコストもかかるという問題があった。加えて、電気接続箱におけるコネクタ収容部が多くなると、各コネクタ収容部に対して外部コネクタを嵌合接続する作業が面倒となり、電気接続箱の装着作業に多くの時間と労力が必要になるという問題もあった。
【０００６】
そこで、本出願人は、特許文献２（特開２００８−３５６６９号公報）において、バスバー端子と基板端子を１つのコネクタ収容部内に混在させて突設した電気接続箱を提案した。この電気接続箱では、プリント基板上の端子用台座で支持されて突出する基板端子と、該基板端子を外れた位置でプリント基板を貫通して突出するバスバー端子とが、一つのコネクタ収容部内に配設されている。それ故、一つのコネクタ収容部に対して一つの外部コネクタを嵌合接続することにより、基板端子とバスバー端子に対して同時に外部回路を接続することが出来る。
【先行技術文献】
【特許文献】
【０００７】
【特許文献１】特開２０００−１１４７３９号公報
【特許文献２】特開２００８−３５６６９号公報
【発明の概要】
【発明が解決しようとする課題】
【０００８】
ところが、本出願人が先に提案した上記特許文献２に記載の発明について本発明者が更なる検討を加えたところ、プリント基板上の端子用台座を外れた位置にバスバー端子を設定する必要があることから、プリント基板やバスバーの設計自由度が制限される場合があり、未だ改善の余地があることがわかった。
【０００９】
本発明は、上述の如き事情を背景として為されたものであって、その解決課題は、基板端子とバスバー端子を一つのコネクタ収容部内にコンパクトに突設させることが可能であり、プリント基板やバスバーの設計自由度も充分に確保することが出来る、新規な構造の電気接続箱を提供することにある。
【課題を解決するための手段】
【００１０】
本発明の特徴は、ケース内にバスバー用絶縁板とプリント基板が積層配置されて収容されており、バスバー用絶縁板に載置されたバスバーによって形成されたバスバー端子と、プリント基板に設けられた基板端子とが、共通のコネクタ部分に突出して配置された電気接続箱において、プリント基板においてバスバー用絶縁板が載置された面におけるバスバー用絶縁板で覆われていない部分に端子用台座を設けて、端子用台座を貫通して基板端子を突出させると共に、バスバー用絶縁板からバスバーを端子用台座上に延び出させて端子用台座上でバスバーを屈曲させることによりバスバー端子を形成し、バスバー端子の基端部分を支持する支持座部を端子用台座に設けたことにある。
【００１１】
本発明に従う構造とされた電気接続箱においては、プリント基板に設けられて基板端子を支持する端子用台座によって、バスバー端子を支持させることが出来る。それ故、基板端子とバスバー端子を、共通の端子用台座上に優れたスペース効率で突設することが可能となり、電気接続箱のコンパクト化が図られ得る。
【００１２】
しかも、プリント基板における端子用台座の設置面側にバスバー用絶縁板を配設することにより、プリント基板に対してバスバー挿通用の貫通孔を形成することなく、端子用台座上に基板端子とバスバー端子を並設することが出来る。それ故、プリント基板における導体パターンがバスバーによって制限されることもなく、プリント基板の設計自由度が大きく確保され得る。
【００１３】
また、本発明では、端子用台座における支持座部が、バスバー用絶縁板におけるバスバーの配設面と同じ平面上に位置する支持面を備えており、この支持面によってバスバー端子の基端部分が支持された態様が、好適に採用される。
【００１４】
このような態様においては、バスバー用絶縁板で支持されて平面的に延びるバスバーの端部を、そのまま同一平面上で端子用台座の支持座部にまで延び出させて支持させることが出来る。それ故、バスバー用絶縁板による支持部と端子用台座による支持部との間での位置合わせのためにバスバーに対して特別な曲げ加工等をする必要がなく、バスバーの形状が簡略化されて製造も容易となる。
【００１５】
更にまた、本態様においては、端子用台座における支持座部の支持面が、基板端子が突設された表面位置に比して、バスバーの厚さ寸法だけ低くされた構成を、併せて採用することが望ましい。
【００１６】
このような構成を併せて採用することにより、支持座部の支持面上に載置されたバスバーの表面を、端子用台座において基板端子が突設された部分の表面と同じ平面上に位置させることが出来る。これにより、基板端子とバスバー端子を１つのコネクタ収容部の底壁に設けられた挿通孔へ組み付けた際に、コネクタ収容部の底壁を端子用台座の表面だけでなく支持面上に載置されたバスバーの表面にも重ね合わせて当接させることが可能となる。そして、コネクタ収容部の底壁と端子用台座の支持面との間でバスバーを挟み込むことにより、バスバー端子の基端部分を端子用台座に対して一層強固に位置決め支持させることが可能となる。
【図面の簡単な説明】
【００１７】
【図１】本発明の第一の実施形態としての電気接続箱を示す分解斜視図。
【図２】図１に示された電気接続箱を構成するプリント基板とバスバー用絶縁板等との重ね合わせ状態を示す斜視図。
【図３】図２に示されたプリント基板とバスバー用絶縁板との重ね合わせ状態の平面図。
【図４】図１に示された電気接続箱においてプリント基板に実装される台座コネクタの拡大側面図。
【図５】図４に示された台座コネクタの平面図。
【図６】図５におけるＶＩ−ＶＩ断面図。
【図７】図３におけるＶＩＩ−ＶＩＩ断面の要部拡大図。
【図８】本発明の第二の実施形態としての電気接続箱を示す要部拡大平面図。
【図９】図８におけるＩＸ−ＩＸ断面図。
【図１０】本発明の第三の実施形態としての電気接続箱を示す要部拡大平面図。
【図１１】図１０におけるＸＩ−ＸＩ断面図。
【図１２】本発明の第四の実施形態としての電気接続箱を示す、図３に対応する平面図。
【図１３】本発明の第五の実施形態としての電気接続箱を示す、図３に対応する平面図。
【発明を実施するための形態】
【００１８】
以下、本発明を更に具体的に明らかにするために、本発明の実施形態について、図面を参照しつつ、詳細に説明する。
【００１９】
図１には、本発明の第一の実施形態としての電気接続箱１０の分解斜視図が示されている。電気接続箱１０は、プリント基板１２とバスバー用絶縁板１４を有しており、図２及び図３に示されているように、これらプリント基板１２とバスバー用絶縁板１４が重ね合わせ状態でケース１６に収容されている。
【００２０】
より詳細には、プリント基板１２は、従来公知のものと同様に、絶縁基板１８を有しており、図示はされていないが、この絶縁基板１８の少なくとも一方の面に導体パターンが形成されていると共に、必要に応じて各種電子部品が装着されている。
【００２１】
さらに、プリント基板１２の表面（図１中の上面）に台座コネクタ２０が設けられている。この台座コネクタ２０は、図４乃至６に単品図が示されているように、複数本の基板端子２２が一つの端子用台座２４に固着された構造とされている。
【００２２】
端子用台座２４は、ブロック状の絶縁体から構成されており、本実施形態では略矩形の厚肉平板形状とされている。そして、この端子用台座２４を厚さ方向に貫通して、複数本の基板端子２２が固着されている。
【００２３】
なお、各基板端子２２は、それぞれ適当な大きさ及び形状とされており、端子用台座２４から下方に突出する基板側接続部２６と、端子用台座２４から上方に突出する端子部２８を備えている。また、端子用台座２４の外周部分には、下方に向かって突出する複数本の脚部３０が形成されている。
【００２４】
そして、台座コネクタ２０は、図７に示されているように、その端子用台座２４がプリント基板１２の表面に載置されて、各脚部３０の突出先端面がプリント基板１２に接する状態で重ね合わされている。また、プリント基板１２には、載置された台座コネクタ２０の各基板端子２２に対応する位置にスルーホール３２が形成されている。そして、端子用台座２４から突設された各基板端子２２の基板側接続部２６が、それぞれ、対応するスルーホール３２に挿通されている。
【００２５】
各スルーホール３２には、リフロー工法等によって半田が浸透されており、スルーホール３２に挿通された基板側接続部２６が、プリント基板１２の導体パターンに形成されたランド３４に対して、半田によって電気接続されている。これにより、各基板端子２２ひいては台座コネクタ２０が、プリント基板１２に対して固定されている。
【００２６】
また、このようにしてプリント基板１２に装着された台座コネクタ２０では、その端子用台座２４の表面３６が、プリント基板１２の表面と略平行な平面をもって広がっている。そして、この端子用台座２４の表面３６から上方に向かって、各基板端子２２の端子部２８がプリント基板１２に対して略垂直に突出している。
【００２７】
さらに、端子用台座２４の表面３６には、バスバー支持溝３８が形成されている。このバスバー支持溝３８は、端子用台座２４の外周縁部に開放しており、端子用台座２４の表面３６の内方に向かって延びている。特に本実施形態では、一定幅で直線的に所定長さで延びるバスバー支持溝３８が採用されており、端子用台座２４の一方の長辺の中央付近から他方の長辺に向かって延び、他方の長辺近くで行止り端とされている。
【００２８】
そして、このバスバー支持溝３８に対して、以下に説明するバスバー用絶縁板１４で支持されたバスバー４０の延出端部４２が嵌め込まれて配設されている。
【００２９】
バスバー用絶縁板１４は、従来公知のものと同様に、薄肉平板形状を有しており、その表面に対してバスバー４０が重ね合わされて支持されている。即ち、バスバー用絶縁板１４の表面には、採用されるバスバー４０に対応した形状のバスバー嵌合溝４４が形成されており、このバスバー嵌合溝４４にバスバー４０が嵌め込まれている。これにより、バスバー４０は、バスバー用絶縁板１４の表面において、バスバー嵌合溝４４の底面である配設面４６に載置されて位置決め状態で組み付けられている。
【００３０】
各バスバー４０は、導電性金属板の打抜加工等で形成されたプレートであって、その端縁部の適当な位置にバスバー端子４８を備えている。これらバスバー端子４８は、バスバー用絶縁板１４上で上方に向かって略直角に屈曲して形成されている。なお、各バスバー端子４８の基端部分は、バスバー用絶縁板１４に形成されたバスバー嵌合溝４４の底壁部分で支持されている。
【００３１】
また、本実施形態では、複数枚のバスバー用絶縁板１４が重ね合わされた積層構造とされている。各バスバー用絶縁板１４は互いに略同じ形状及び大きさを有している。また、各バスバー用絶縁板１４の表面には、それぞれバスバー嵌合溝４４が形成されており、それらのバスバー嵌合溝４４にバスバー４０が嵌合状態で装着されている。なお、図１乃至３では、見易くするために、上段のバスバー用絶縁板１４に載置されたバスバー４０だけを図示し、中段及び下段のバスバー用絶縁板１４に載置されたバスバーの図示を省略してある。これら中段及び下段のバスバー用絶縁板１４に載置されたバスバーにも、上段のバスバー用絶縁板１４に載置されたバスバー４０と同様に複数のバスバー端子が形成されている。それら中段及び下段のバスバー用絶縁板１４に載置されたバスバーのバスバー端子は、上段のバスバー用絶縁板１４に形成された複数の貫通孔５０に挿通されており、上段のバスバー用絶縁板１４に載置されたバスバー４０のバスバー端子４８と同様に、上段のバスバー用絶縁板１４の表面から上方に向かって略直角に突出されている。
【００３２】
そして、バスバー４０が組み付けられたバスバー用絶縁板１４は、プリント基板１２の表面に重ね合わされて組み付けられている。また、プリント基板１２とバスバー用絶縁板１４は、ネジ等で相互に固定されることにより、基板ユニット５２とされている。
【００３３】
図１乃至３に示されているように、バスバー用絶縁板１４は、プリント基板１２よりも一回り小さな矩形平板形状とされている。これにより、基板ユニット５２では、プリント基板１２の表面に対して部分的にバスバー用絶縁板１４が重ね合わされている。即ち、プリント基板１２には、バスバー用絶縁板１４で覆われていない露出部分がある。
【００３４】
このプリント基板１２の露出部分に、前述の端子用台座２４が位置している。端子用台座２４は、バスバー用絶縁板１４に近接して、バスバー用絶縁板１４の端縁部に沿って配置されている。そして、端子用台座２４の表面３６に形成された前述のバスバー支持溝３８の開放側端部が、バスバー用絶縁板１４に向かって開放されている。
【００３５】
一方、上段のバスバー用絶縁板１４に載置されたバスバー４０の一つには、端子用台座２４に向かって延び出した延出端部４２が一体形成されている。この延出端部４２は、バスバー用絶縁板１４における端子用台座２４との近接端縁部において、バスバー４０の一つがバスバー用絶縁板１４の外周縁部から延び出されることによって形成されている。そして、この延出端部４２は、端子用台座２４のバスバー支持溝３８に嵌合されて位置決めされている。
【００３６】
また、延出端部４２の先端部分には、略直角に屈曲したバスバー端子５４が一体形成されている。このバスバー端子５４は、バスバー支持溝３８の行止り端において、端子用台座２４の表面３６から略垂直に上方に向かって、基板端子２２と平行に突出している。また、バスバー端子５４の基端部分をバスバー端子５４の突出方向と反対側において支持する支持座部５６が、端子用台座２４におけるバスバー支持溝３８の底壁部分によって構成されている。
【００３７】
特に本実施形態では、上段のバスバー用絶縁板１４に形成されたバスバー嵌合溝４４の底面（配設面４６）と、端子用台座２４に形成されたバスバー支持溝３８の底面（支持座部５６の表面）である支持面５８とが、同一平面上に位置している。これにより、上段のバスバー用絶縁板１４のバスバー嵌合溝４４に嵌合載置されたバスバー４０は、屈曲等されることなく同一平面上に延び出して延出端部４２とされて、端子用台座２４のバスバー支持溝３８に嵌合載置されている。
【００３８】
また、本実施形態では、上段のバスバー用絶縁板１４の表面と、端子用台座２４の表面３６とが、バスバー嵌合溝４４及びバスバー支持溝３８の形成されていない部分において略同一平面上に位置している。更に、バスバー嵌合溝４４とバスバー支持溝３８の深さ寸法は、何れも、バスバー４０の厚さ寸法と略同じとされている。これにより、バスバー嵌合溝４４およびバスバー支持溝３８に嵌合配置されたバスバー４０の表面が、上段のバスバー用絶縁板１４の表面及び端子用台座２４の表面３６と略同一平面上に位置している。
【００３９】
上述の構造とされた基板ユニット５２は、図１に示されているように、ケース１６に収容されている。ケース１６は、略矩形浅底の箱体形状を有するアッパーケース６０とロアケース６２から構成されている。これらアッパーケース６０とロアケース６２が、基板ユニット５２の表裏両側から重ね合わされ、各開口周縁部で互いに突き合わされて相互に固定されている。これにより、ケース１６の内部に基板ユニット５２が収容状態で位置決めされた電気接続箱１０が構成されている。
【００４０】
また、ケース１６のアッパーケース６０の上面には、ケース１６の上方に向かって突出する周壁を備えたコネクタ収容部６４ａ〜ｉが複数設けられている。これら複数のコネクタ収容部６４ａ〜ｉの底壁に形成された端子挿通孔６６を通じて、基板端子２２及びバスバー端子４８，５４がケース１６の上方に向かって突出している。なお、基板端子２２及びバスバー端子４８，５４は、複数本の適当な組合せからなるグループを形成して、それぞれのコネクタ収容部６４ａ〜ｉ内に位置している。
【００４１】
そして、コネクタ収容部６４ａ〜ｉに対して、図示されていない外部の電気回路を構成する電線の端末に設けられた外部コネクタが差し込まれるようになっている。この外部コネクタの差し込みにより、コネクタ収容部６４ａ〜ｉ内に突設された基板端子２２及びバスバー端子４８，５４に対して、外部の電気回路を構成する電線が接続されるようになっている。
【００４２】
上記の複数のコネクタ収容部６４ａ〜ｉのうちの一つ（６４ａ）には、台座コネクタ２０上に突設された基板端子２２とバスバー端子５４が配置されている。そして、このコネクタ収容部６４ａに外部コネクタが差し込まれることにより、台座コネクタ２０上に突設された基板端子２２とバスバー端子５４の両方に対して、外部の電気回路を構成する電線が同時に接続されるようになっている。
【００４３】
上述の如き構造とされた電気接続箱１０では、プリント基板１２において基板端子２２を支持する端子用台座２４を巧く利用して、バスバー端子５４の基端部分が支持されている。これにより、コネクタ収容部６４ａに外部コネクタを差し込む際の押込力に抗して、基板端子２２だけでなくバスバー端子５４も、端子用台座２４で支持することが出来、バスバー端子５４の押込方向への変位や変形を防止して、外部の電気回路を構成する電線を確実に接続することが出来る。
【００４４】
しかも、バスバー端子５４の支持部材として、プリント基板１２に設けられる端子用台座２４を利用したことから、バスバー端子５４の支持のために特別な部品を追加する必要も無い。
【００４５】
加えて、本実施形態では、バスバー支持溝３８の底壁で支持されたバスバー４０の延出端部４２の表面が、端子用台座２４の表面３６と略同一平面上に設定されていることにより、コネクタ収容部６４ａの底壁を、端子用台座２４の表面３６とバスバー４０の延出端部４２の表面との両方に当接可能である。そして、支持座部５６の表面（支持面５８）とコネクタ収容部６４ａの底壁との間で、バスバー４０の延出端部４２を挟むことにより、バスバー端子５４に対する外部の電気回路の接続の安定性の向上が図られ得る。
【００４６】
以上、本発明の第一の実施形態について詳述したが、本発明はその具体的な記載によって限定されない。例えば、図８及び図９に示された本発明の第二の実施形態のように、プリント基板１２に設けられた一つの台座コネクタ２０によって、複数のバスバー４０ａ，４０ｂにおける延出端部４２ａ，４２ｂを支持させることも出来る。
【００４７】
図８及び図９に示された第二の実施形態では、台座コネクタ２０の表面に、二本のバスバー支持溝３８ａ，３８ｂが、互いに独立して形成されている。そして、一方のバスバー支持溝３８ａには、第一の実施形態と同様に、上段のバスバー用絶縁板１４ａのバスバー嵌合溝４４ａに嵌合配置されたバスバー４０ａの延出端部４２ａが嵌合配置されている。また、他方のバスバー支持溝３８ｂには、中段のバスバー用絶縁板１４ｂのバスバー嵌合溝４４ｂに嵌合配置されたバスバー４０ｂの延出端部４２ｂが嵌合配置されている。
【００４８】
また、一方のバスバー支持溝３８ａの行止り端では、バスバー４０ａの延出端部４２ａの先端に屈曲形成されたバスバー端子５４ａが上方に突出している。更に、他方のバスバー支持溝３８ｂの行止り端では、バスバー４０ｂの延出端部４２ｂの先端に屈曲形成されたバスバー端子５４ｂが上方に突出している。これにより、プリント基板１２の台座コネクタ２０には、二本のバスバー端子５４ａ，５４ｂが、基板端子２２と共に、上方に向かって平行に突設されている。
【００４９】
なお、本実施形態では、上記二本のバスバー支持溝３８ａ，３８ｂの底面が、何れも、上段のバスバー用絶縁板１４ａのバスバー嵌合溝４４ａの底面（配設面４６ａ）と、同一平面上に位置している。それ故、中段のバスバー用絶縁板１４ｂで支持されたバスバー４０ｂは、バスバー用絶縁板１４ｂから延び出して台座コネクタ２０に至る迄の部分において、上方に向かって段差状に屈曲された段差部６８が形成されて位置調節されている。
【００５０】
尤も、このようなバスバー４０ｂにおける段差部６８の形成に代えて、例えば図１０及び図１１に示された本発明の第三の実施形態のように、台座コネクタ２０における二本のバスバー支持溝３８ａ，３８ｂの底面（支持面５８ａ，５８ｂ）の位置を相互に異ならせても良い。
【００５１】
すなわち、第三の実施形態では、台座コネクタ２０のバスバー支持溝３８ａの底面（支持面５８ａ）が、延出端部４２ａが一体形成されたバスバー４０ａを支持する、上段のバスバー用絶縁板１４ａに形成されたバスバー嵌合溝４４ａの底面（配設面４６ａ）と同じ平面上に位置している。台座コネクタ２０の他方のバスバー支持溝３８ｂの底面（支持面５８ｂ）は、延出端部４２ｂが一体形成されたバスバー４０ｂを支持する、中段のバスバー用絶縁板１４ｂに形成されたバスバー嵌合溝４４ｂの底面（配設面４６ｂ）と同じ平面上に位置している。
【００５２】
これにより、上段のバスバー用絶縁板１４ａで支持されたバスバー４０ａの延出端部４２ａと、中段のバスバー用絶縁板１４ｂで支持されたバスバー４０ｂの延出端部４２ｂは、何れも、段差部等を設けることなく直線的に延び出して、台座コネクタ２０のバスバー支持溝３８ａとバスバー支持溝３８ｂに対して嵌合されて各底面（支持面５８ａ，５８ｂ）で支持されている。
【００５３】
また、本発明で採用されるプリント基板やバスバー用絶縁板、台座コネクタの具体的形状や大きさは、適宜に変更可能である。例えば、図１２に示されているようにバスバー用絶縁板１４において外周縁部に開口する凹状の切欠部７０を設けて、この切欠部７０内に位置する台座コネクタ２０をプリント基板１２に設置しても良い。或いは、図１３に示されているように、バスバー用絶縁板１２の中央部分に窓状の開口部７２を設けて、この開口部７２内に位置する台座コネクタ２０をプリント基板１２に設置することも出来る。また、図１３に示されているように、一つのプリント基板１２上に台座コネクタ２０を複数設けることも可能である。
【００５４】
また、本発明においてプリント基板は、少なくとも台座コネクタを設置するためにバスバー用絶縁板で覆われていない領域を有するものであれば良く、バスバー用絶縁板よりもプリント基板が大きい平面形状を有する必要はない。
【００５５】
更にまた、一つのプリント基板上に設置した台座コネクタの周りに複数枚のバスバー用絶縁板を配設しても良い。例えば、台座コネクタを挟んだ両側に第一のバスバー用絶縁板と第二のバスバー用絶縁板を配設し、それら各バスバー用絶縁板に支持されたバスバーに形成された延出端部をそれぞれ台座コネクタで支持させて複数のバスバー端子を形成することも可能である。
【００５６】
また、台座コネクタ２０においてバスバー支持溝３８を設けることなく、台座コネクタ２０の先端面でバスバー４０を直接に支持させても良い。更に、台座コネクタに採用される基板端子として、前記実施形態の如きスルーホールタイプの他、表面実装タイプを採用することも可能である。また、台座コネクタにおいて、先端面で延出端部を支持させたバスバーとは別に、プリント基板の裏面側に配設された別のバスバー用絶縁板で支持されたバスバーの端子を、プリント基板及び台座コネクタを貫通させて台座コネクタ上に突出させて並設することも可能である。
【００５７】
さらに、前記実施形態に示されているように、ケース外に露出されて外部の電気回路を構成する電線の端末に設けられた外部コネクタが差し込まれる台座コネクタの他、ケース内部に設けられて、例えばケースに収容された基板同士のコネクタ接続に用いられる内部コネクタに対しても、本発明は同様に適用可能である。
【符号の説明】
【００５８】
１０：電気接続箱，１２：プリント基板，１４：バスバー用絶縁板，１６：ケース，２２：基板端子，２４：端子用台座，４０：バスバー，４２：延出端部，４６：配設面，４８：バスバー端子，５４：バスバー端子，５６：支持座部，５８：支持面
【図１】
2010220365.tif 000003
【図２】
2010220365.tif 000004
【図３】
2010220365.tif 000005
【図４】
2010220365.tif 000006
【図５】
2010220365.tif 000007
【図６】
2010220365.tif 000008
【図７】
2010220365.tif 000009
【図８】
2010220365.tif 000010
【図９】
2010220365.tif 000011
【図１０】
2010220365.tif 000012
【図１１】
2010220365.tif 000013
【図１２】
2010220365.tif 000014
【図１３】
2010220365.tif 000015